(57)【特許請求の範囲】
【請求項１】
原稿束から原稿を１枚毎に分離する分離部と、分離された原稿を読取部へ搬送する搬送手段と、該搬送手段により搬送されてくる原稿の原稿面画像を読み取る位置固定のＣＣＤを含むの画像読取手段と、該画像読取手段による原稿画像の読取位置上に配置されたコンタクトガラスと、該コンタクトガラスと所定の隙間を置いて対向配置した白色のガイド手段と、上記搬送手段を駆動する駆動手段とを備える画像読取装置において、上記読取位置の原稿搬送方向下流にガイド部材を備え、該ガイド部材は、上記搬送されてくる原稿を搬送方向先端側からすくい上げるためのすくい上げ面を有し、該すくい上げ面の主走査方向の部分としてのふくらみ部を上記ガイド部材と一体に形成したことを特徴とする画像読取装置。
【請求項２】
請求項１に記載の画像読取装置において、上記ふくらみ部を上記コンタクトガラスにおける原稿画像の主走査方向で所定間隔を置いて上記ガイド部材に複数設けてあることを特徴とする画像読取装置。
【請求項３】
請求項１または請求項２に記載の画像読取装置において、上記ふくらみ部がフィルム材等の可撓性の材質からなることを特徴とする画像読取装置。
【請求項４】
請求項１から請求項３のいずれか１項に記載の画像読取装置において、上記ふくらみ部の頂点を、上記ガイド手段の端部と原稿搬送方向で上記ガイド部材の下流側に位置する原稿搬送用のローラ対のニップ部とを通る線上に設けてあることを特徴とする画像読取装置。
【発明の詳細な説明】
【０００１】
【発明の属する技術分野】
本発明は、複写機等の画像記録処理装置において用いられる画像読取装置に関し、特にＡＤＦ等と称される自動原稿処理装置として用いられるものに関する。
【０００２】
【従来の技術及び発明が解決しようとする課題】
図１は、被読み取り原稿を位置固定の読み取り装置部に搬送し、所定の速度で搬送しながら画像読み取りを行う自動原稿処理装置（以下ＡＤＦという。）の基本的な構成、動作、作用を示すための断面図、図２は、図１の装置の構成ブロック図、図３は、図１の装置の原稿読取位置の構成を拡大して示す斜視図である。
【０００３】
このＡＤＦは、被読み取り原稿束をセットする原稿セット部Ａ、セットされた原稿束から一枚ずつ原稿１を分離して給送する分離給送部Ｂ、給送された原稿１を一次突き当て整合するとともに整合後の原稿１を引き出して搬送するレジスト部Ｃ、搬送される原稿１をターンさせて原稿面を読み取り側（下方）に向けて搬送するターン部Ｄ、原稿１の表面画像をコンタクトガラスとされるスリットガラス２１の下方より読み取りを行わせる第一読み取り搬送部Ｅ、読み取り後の原稿１の裏面画像を読みとる第二読み取り搬送部Ｆ、表裏の読み取りが完了した原稿１を機外へ排出する排紙部Ｇ、読み取り完了後の原稿１を積載保持するスタック部Ｈ、これら搬送動作の駆動を行う駆動部（ピックアップモータ１０１等）、さらに一連の動作を制御するコントローラ部１００とから構成されている。
【０００４】
読み取りを行う原稿束をセットするのは、可動原稿テーブル３を含む原稿テーブル２上で、原稿１の画像面を上向きの状態でセットする。さらに原稿束の幅方向（図１の紙面垂直方向）を図示しないサイドガイドによって搬送方向と直行する方向での位置決めを行う。原稿束のセットは、セットフィラー４、セットセンサ５により検知され、Ｉ／Ｆ１０７（図２に矢印だけで示す）により本体制御部１１１に送信される。さらに原稿テーブル２面に設けられた原稿長さ検知センサ３０、３１（反射型センサや、原稿１枚でも検知可能なアクチェーター・タイプのセンサが用いられる）により、原稿１の搬送方向長さの概略が判定される（少なくとも同一原稿サイズの縦か横かを判断可能なセンサを配置することが必要である）。
【０００５】
可動原稿テーブル３は、底板上昇モータ１０５により図示の矢印ａ、ｂ方向に上下動可能となっており、原稿束がセットされたことをセットフィラー４、セットセンサ５により検知すると、底板上昇モータ１０５を正転させて原稿束の最上面がピックアップローラ７と接触するように可動原稿テーブル３を上昇させる。ピックアップローラ７は、ピックアップモータ１０１によりカム機構で図に示す矢印ｃ、ｄ方向に動作するとともに、可動テーブル３が上昇し、可動テーブル３上の原稿束の上面により押されて矢印ｃ方向に上がり、テーブル上昇検知センサ８により上限を検知可能となっている。
【０００６】
そして、本体操作部１０８よりプリントキーが押下され、本体制御部１１１からＩ／Ｆ１０７を介してコントローラ部１００に原稿給紙信号が送信されると、ピックアップローラ７は給紙モータ１０２の正転により回転駆動され、原稿テーブル２上の数枚（理想的には１枚）の原稿１をピックアップする。回転方向は、最上位の原稿１を給紙口に搬送する方向である。給紙ベルト９は給紙モータ１０２の正転により給紙方向に回転駆動され、リバースローラ１０は給紙モータ１０２の正転により給紙と逆方向に回転駆動され、最上位の原稿とその下の原稿を分離して、最上位の原稿のみを給紙できる構成となっている。
【０００７】
この構成、動作を詳細に説明すると、リバースローラ１０は給紙ベルト９と所定圧で接触し、給紙ベルト９との直接に接している時、または原稿１枚を介して接している状態では給紙ベルト９の回転に連れて反時計方向に連れ回りし、２枚以上の原稿が給紙ベルト９とリバースローラ１０の間に進入した時は、連れ回り力が図示せぬトルクリミッタのトルクよりも低くなるように設定されており、リバースローラ１０は本来の駆動方向である時計方向に回転し、余分な原稿を原稿テーブル２側へ押し戻し、重送を防止する。
【０００８】
給紙ベルト９とリバースローラ１０との作用により１枚に分離された原稿１は、給紙ベルト９によってさらに搬送され、突き当てセンサ１１によって先端が検知され、さらに進んで停止しているプルアウトローラ１２に突き当たる。その後、突き当てセンサ１１の検知から所定量定められた距離だけ搬送られ、結果的にはプルアウトローラ１２に所定量の撓みをもって押し当てられた状態で給紙モータ１０２を停止させることにより、給紙ベルト９の駆動が停止する。この時、ピックアップモータ１０１を回転させることでピックアップローラ７を原稿１の上面から退避させ、原稿１を給紙ベルト９の搬送力のみで送ることにより、原稿１の先端はプルアウトローラ１２の上下ローラ対のニップに進入し、先端の整合（スキュー補正）が行われる。
【０００９】
プルアウトローラ１２は、このようなスキュー補正機能を有するとともに、分離後にスキュー補正された原稿１を中間ローラ１４まで搬送するために給紙モータ１０２の逆転により駆動される。またこの時（給紙モータ１０２逆転時）、プルアウトローラ１２と中間ローラ１４が駆動されるが、ピックアップローラ７と給紙ベルト９は駆動されていない。
【００１０】
原稿幅センサ１３は、図１の紙面奥行き方向に複数個並べられており、プルアウトローラ１２により搬送される原稿１の搬送方向に直行する幅方向のサイズを検知する。また、原稿１の搬送方向の長さは原稿１の先、後端を突き当てセンサ１１で読み取ることによりモータパルスから原稿の長さを検知する。
【００１１】
プルアウトローラ１２及び中間ローラ１４の駆動によりレジスト部Ｃからターン部Ｄに原稿１が搬送される際には、レジスト部Ｃでの搬送速度を読み取り搬送部Ｅでの搬送速度よりも高速に設定し、原稿１を読取部へ送り込む処理時間の短縮を図っている。
【００１２】
原稿１の先端が読み取り入口センサ１５により検出されると、読取入口ローラ１６の上下ローラ対のニップに原稿１の先端が進入する前に、原稿搬送速度を読取搬送速度と同速にするための減速を開始すると同時に、読取モータ１０３を正転駆動し、読取入口ローラ１６、読取ローラ１９、読取出口ローラ２３、ＣＩＳ出口ローラ２７を駆動する。
【００１３】
原稿１の先端をレジストセンサ１７にて検知すると、所定の搬送距離を掛けて減速し、読取位置２０の手前で一時停止すると共に本体制御部１１１にＩ／Ｆ１０７を介してレジスト停止信号を送信する。続いて本体制御部１１１より読取開始信号を受信すると、レジスト停止していた原稿１は読取位置に原稿１の先端が到達するまでに所定の搬送速度に立ち上がるように増速されて搬送される。読取モータのパルスカウントにより検出された原稿１の先端が読取位置２０に到達するタイミングで、本体制御部１１１に対して原稿１の第１面の副走査方向有効画像領域を示すゲート信号が第１読取部を原稿１の後端が抜けるまで送信される。
【００１４】
片面原稿読み取りの場合には、読取搬送部Ｅを通過した原稿１はすくい上げガイド部材２２により原稿１の搬送方向を斜め上方に変更させ、第二読み取り搬送部Ｆを経て排紙部Ｇへ搬送される。この際、排紙センサ２４により原稿１の先端を検知すると、排紙モータ１０４を正転駆動して排紙ローラ２８を回転させる。また、排紙センサ２４による原稿１の先端検知からの排紙モータ１０４のパルスカウントにより、原稿１の後端が排紙ローラ２８の上下ローラ対のニップから抜ける直前に排紙モータ１０４の駆動速度を減速させて、排紙トレイ２９上に排出される原稿１が飛び出さないように制御する。
【００１５】
両面原稿読み取りの場合には、排紙センサ２４にて原稿１の先端を検知してから読取モータ１０３のパルスカウントにより第２読取部２５に原稿１の先端が到達するタイミングで第２読取部２５に対してコントローラ部１００から副走査方向の有効画像領域を示すゲート信号が読取部を原稿１の後端が抜けるまで送信される。第２読取ローラ２６は第２読取部２５における原稿１の浮きを抑えると同時に、第２読取部２５におけるシェーディングデータを取得するための基準白部を兼ねる。
【００１６】
なお図中６は可動原稿テーブル３のホームポジションセンサ、１８は搬送入口ガイド板、３２は読取ガイド板である。
【００１７】
ところで、上述のような屈曲形状の原稿搬送経路を有する装置では、原稿１をスリットガラス２１上で読取った後、読取搬送部Ｅと第二読み取り搬送部Ｆとの間の排出経路に配されたすくい上げガイド部材２２により原稿をすくい上げるが、すくい上げガイド部材２２のすくい上げ面２２ａに原稿１の先端が当接した際に、その衝撃、換言すれば搬送方向（図３中に矢印Ｔで示す）と対向方向に生じる搬送抵抗（図３中に矢印Ｒで示す）により、形成される画像に異常画像（部分伸び）が発生することがあった。
【００１８】
特許２８４３４９２号号公報に開示されている技術では、ＡＤＦの読取位置と排紙口の間に山形の形状部を設け、読取部ガイド板とコンタクトガラスの隙間よりも狭くすることで原稿の振動を防ぎ、搬送方向下流のローラへの進入時に上流側のローラからの離脱時のジターを低減するようにしているが、原稿搬送時の抵抗が増えてしまうので、上述の問題を解決するには至っていない。
【００１９】
本発明は、上記従来の問題点にかんがみ、原稿先端が排出経路へ進入する際の原稿先端における衝撃を緩和させるとともに、原稿搬送時の搬送抵抗を低減させることで異常画像の発生を防止できる画像読取装置を提供することを目的とする。
【００２０】
【課題を解決するための手段】
本発明の請求項１に係る画像読取装置は、上記目的を達成するために、原稿束から原稿を１枚毎に分離する分離部と、分離された原稿を読取部へ搬送する搬送手段と、該搬送手段により搬送されてくる原稿の原稿面画像を読み取る位置固定のＣＣＤを含むの画像読取手段と、該画像読取手段による原稿画像の読取位置上に配置されたコンタクトガラスと、該コンタクトガラスと所定の隙間を置いて対向配置した白色のガイド手段と、上記搬送手段を駆動する駆動手段とを備える画像読取装置において、上記読取位置の原稿搬送方向下流にガイド部材を備え、該ガイド部材は、上記搬送されてくる原稿を搬送方向先端側からすくい上げるためのすくい上げ面を有し、該すくい上げ面の主走査方向の部分としてのふくらみ部を上記ガイド部材と一体に形成したことを特徴とする。
【００２３】
同請求項２に係るものは、上記目的を達成するために、請求項１に記載の画像読取装置において、上記ふくらみ部を上記コンタクトガラスにおける原稿画像の主走査方向で所定間隔を置いて上記ガイド部材に複数設けてあることを特徴とする。
【００２４】
同請求項３に係るものは、上記目的を達成するために、請求項１または請求項２に記載の画像読取装置において、上記ふくらみ部がフィルム材等の可撓性の材質からなることを特徴とする。
【００２５】
同請求項４に係るものは、上記目的を達成するために、請求項１ないし請求項３のいずれか１項に記載の画像読取装置において、上記ふくらみ部の頂点を、上記ガイド板の端部と原稿搬送方向で上記ガイド部材の下流側に位置する原稿搬送用のローラ対のニップ部との線上に設けてあることを特徴とする。
【００２６】
【発明の実施の形態】
以下本発明の実施の形態を図面を参照して説明する。なお以下では従来と共通する部分には共通する符号を付すにとどめ重複する説明は省略する。図示は省略するが、本実施形態も図１に示す装置と同様に、被読み取り原稿を位置固定の読み取り装置部に搬送し、所定の速度で搬送しながら画像読み取りを行うＡＤＦと称される装置に関するもので、基本的な構成、動作は全く同様のものである。
【００２７】
図４は本発明の第一実施形態を示す断面図（Ａ）と斜視図（Ｂ）である。本実施形態はすくい上げガイド部材２２のすくい上げ面２２ａの主走査方向中央付近にふくらみ部２２ｂが１箇所だけ設けられている。ふくらみ部２２ｂは、もちろん原稿１の画像を読み取る読取位置２０の下流部の排出経路上に位置する。またふくらみ部２２ｂの頂点と読取ガイド板３２間の隙間は、読取ガイド板３２とスリットガラス２１の隙間と同間隔もしくはそれ以上の隙間とされており、原稿１が通過する際に、原稿１の先端がすくい上げ面２２ａに摺接あるいは当接する際の抵抗以上の搬送抵抗にならないように設定されている。
【００２８】
このふくらみ部２２ｂは、読取位置２０よりも原稿搬送方向下流側の排出経路に設けられていればよく、自動原稿給紙装置、画像形成装置、読取ユニット、その他のユニットのいずれに設けられていても構わない。図５に自動原稿給紙装置の排出ガイド板３３に設けた変形例を示す。
【００２９】
また図４の実施形態では、ふくらみ部２２ｂがすくい上げ部材２２の主走査方向中央付近に１箇所だけに設けられているが、主走査方向で間隔をおいて複数箇所に設けても良い。いずれにしても、ふくらみ部２２ｂとの当接あるいは摺接に起因して搬送される原稿に係る抵抗力が均等に掛かるようにすることが好ましい。ただし、これらのふくらみ部２２ｂの幅がすくい上げ面２２ａのふくらんでいない部分に対して多過ぎると、原稿１の先端進入時のショック緩和効果が薄れてしまう。例えば、ふくらみ部２２ｂがすくい上げガイド部２２の主走査方向全体に設けられている場合は、原稿１の先端がふくらみ部２２ｂに当たる時の抵抗が増えるため、進入時のショックジターが大きくなる。
【００３０】
また、ふくらみ部２２ｂのふくらみ形状は、できるだけ傾斜が緩い方が原稿１の進入時の衝撃緩和には好ましい。また少なくともふくらみ部２２ｂをなす部分あるいは部材の材質は、原稿１の搬送時に原稿１に負荷が掛かりにくい、摩擦係数の小さい材質であることが好ましい。もちろん、ふくらみ部２２ｂをすくい上げ部材２２と一体に形成すればコストが上昇することもない。
【００３１】
ところで、通常シートスルータイプのＡＤＦにおける線速は、上流側の読取入口ローラ１６の線速が下流側の読取出口ローラ２３の線速より小さくなるように設定されているため、初期の弛み（図６（Ｂ）実線部分参照）は原稿１が読取出口ローラ２３による搬送中に徐々に解消されていくが（図６（Ｂ）の点線部分参照）、搬送長さの短い原稿では弛みが解消されないまま原稿後端が読取入口ローラ１６、読取ローラ１９を抜けてしまう。原稿１に弛みが残ったまま原稿１の後端が上流側の読取ローラ１９を抜けた場合、弛みを解消する（読取出口ローラ２３により原稿１が引っ張られる）まで原稿１が読取位置２０上で滞留し、読取画像に支障をきたす（画像の部分伸びが発生する）。そこで、ふくらみ部２２ｂの頂点を読取ガイド板３２の原稿搬送方向下流側端部と、その下流側に設けられたローラ対である読取出口ローラ２３のニップ部を結ぶ直線上に設けるとともに、ふくらみ部２２ｂと読取出口ローラ２３のニップ部を近づけ、原稿１の先端が読取出口ローラ２３のニップ部へ進入する時に、原稿１が読取ガイド板３２と読取出口ローラ２３の間で弛まなくなるか、あるいは原稿１の弛みが小さくなるように設定することができる（図６（Ａ）参照）。
【００３２】
なお、ふくらみ部２２ｂの頂点形状は、原稿１の搬送に影響がなければ、角張っていても弛みに対する効果は変わらないが、原稿１が角部にこすれることによる紙粉の発生が懸念されるため、曲面形状とすることが好ましい。
【００３３】
次に本発明の第２実施形態を図７を参照して説明する。
前述したように、原稿１の先端がすくいあげ部材２２へ進入する時には、ふくらみ部２２ｂの角度は緩い方が好ましいが、ふくらみ部２２ｂの頂点を読取ガイド板３２の原稿搬送方向下流側端部と下流側の読取出口ローラ２３のニップを結ぶ直線上に設ける場合には、ふくらみ部２２ｂの角度を急な形状にせざるを得ない場合がある（図７（Ｂ）参照）。そのような場合には、進入時の衝撃を緩和するために、ふくらみ部２２ｂの材質をフィルム材等の可撓部材とすることで、図７（Ａ）に示すように、原稿先端進入時と後端抜け時の双方に対する効果改善の幅を広げることが可能となる。もちろんこの実施形態では、ベース部材であるすくいあげ部材２２とふくらみ部２２ｂとは別体で形成する。
【００３４】
この実施形態では、フィルム部材からなるふくらみ部２２ｂと読取ガイド板３２の間に、フィルム部材が逃げる（移動する）空間が必要となるが、フィルム部材の取り付け位置は、上記の逃げが可能な構造にできれば、原稿搬送方向の上流、下流のどちらか一方または両方でも良い。その際の取り付けは、接着材による接着、溝を設けて差込み、ネジ留め等、特に制約はない。もちろん、ふくらみ部２２ｂの頂点を読取ガイド板３２と読取出口ローラ２３のニップ部を結ぶ直線上に設ける場合でも、ふくらみ部２２ｂの角度を小さくできる場合は、既述の実施形態のようにすくいあげ部材２２と一体に形成しても問題はない。
【００３５】
図８に、フィルム部材からなるふくらみ部２２ｂのすくいあげ部材２２への取り付け形態を複数示す。
図８（Ａ）は、すくい上げ部材２２の原稿搬送方向上流側の起立する側面にフィルム材の一端を接着し、他端側（原稿搬送方向下流側）は接着せずに、フィルム材の弾性力により図示のような空中位置で静止しているようにしたものである。
【００３６】
図８（Ｂ）は、原稿搬送方向上流側ではフィルム材をすくい上げ部材２２の原稿搬送方向上流側の下端面に這い回し、すくい上げ部材２２とスリットガラス２１で挟み込む（図示を省略）ようにし、フィルム材の他端側はすくい上げガイド２２の原稿搬送方向下流側の起立する側面に接着している。
【００３７】
図８（Ｃ）は、すくい上げ部材２２の原稿搬送方向上流側の起立する側面にフィルム材の一端を接着し、フィルム材の他方側をすくい上げガイド２２の原稿搬送方向下流側の起立する側面に接着している。
【００３８】
図８（Ｄ）は、原稿搬送方向上流側ではフィルム材をすくい上げ部材２２の原稿搬送方向上流側の下端面に這い回し、すくい上げ部材２２とスリットガラス２１で挟み込む（図示を省略）ようにし、フィルム材の他端側は自動原稿給紙装置の排出ガイド板３３で挟み込む（図示を省略）ようにしている。
【００３９】
いずれにしても、フィルム材からなるふくらみ部２２ａとすくい上げ部材２２の間には所定の空間が設けられ、原稿１の先端がふくらみ部２２ｂに到達すると、原稿１の先端の押圧力により、ふくらみ部２２ｂはすくい上げ部材２２の傾斜面２２ａ側に移動するが、原稿１の通過後、フィルム材の弾性力によりふくらみ部２２ｂは元の位置（通常状態）に戻る。またフィルム材の頂点は既述のように読取ガイド板３２と読取出口ローラ２３のニップ部を結んだ線上に位置（原稿が搬送されていない通常状態）してもよいし、すくい上げ部材２２の主走査方向中央に１つ設けるか所定間隔をおいて複数配置しても構わない。
【００４０】
【発明の効果】
本発明に係る画像読取装置は、以上説明してきたように、原稿排出経路に搬送されてくる原稿を搬送方向先端側からすくい上げるために設けるガイド部材に、搬送抵抗を減少させるためのふくらみ部を、ガイド部材の全体ではなく一部に設け、原稿当接時の衝撃を緩和し、ふくらみ部の頂点と対向するガイド手段間の隙間を原稿画像の読取位置におけるガイド手段とコンタクトガラスの間の隙間以上とすることで、原稿のすくいあげ時の搬送抵抗を低減させるようにしたので、これらにより原稿先端が排出経路に進入した時の衝撃や搬送抵抗に起因する異常画像の発生を防止することが可能になるという効果がある。また、本発明に係る画像読取装置は、以上説明してきたように、原稿とふくらみ部との当接あるいは摺接に起因して搬送される原稿に係る抵抗力が均等に掛かり、搬送抵抗の低減効果がより一層発揮されるようになるという効果がある。
【００４１】
また本発明の請求項２に係る画像読取装置は、以上説明してきたように、原稿とふくらみ部との当接あるいは摺接に起因して搬送される原稿に係る抵抗力が均等に掛かり、上記請求項１と共通する搬送抵抗の低減効果がより一層発揮されるようになるという効果がある。
【００４２】
また請求項３に係る画像読取装置は、以上説明してきたように、ふくらみ部をフィルム材等の可撓性の材質から構成したので、ふくらみ部への原稿先端進入時とふくらみ部からの原稿後端抜け時の双方において、上記請求項１または請求項２と共通する搬送抵抗の低減効果がより一層発揮されるようになるという効果がある。
【００４３】
さらに請求項４に係る画像読取装置は、以上説明してきたように、ふくらみ部の頂点をガイド板の端部と原稿搬送方向でガイド部材の下流側に位置する原稿搬送用のローラ対のニップ部との線上に設ける構成としたので、上記共通の効果に加え、ガイド手段と下流側の原稿搬送用のローラ対の間にある原稿の弛みを小さくできるという効果がある。
【図面の簡単な説明】
【図１】従来の自動原稿処理装置の基本的な構成、動作、作用を示すための断面図である。
【図２】図１の装置の構成ブロック図である。
【図３】図１の装置の原稿読取位置の構成を拡大して示す斜視図である。
【図４】本発明の第一実施形態を示す断面図（Ａ）と斜視図（Ｂ）である。
【図５】本発明の第一実施形態の変形例を示す断面図である。
【図６】本発明の第一実施形態における原稿の弛み発生について示す断面図である。
【図７】本発明の第２実施形態を示す断面図である。
【図８】図７の実施形態でフィルム部材からなるふくらみ部のすくいあげ部材への取り付け形態を示す図である。
【符号の説明】
Ａ  原稿セット部
Ｂ  分離給送部
Ｃ  レジスト部
Ｄ  ターン部
Ｅ  第一読み取り搬送部
Ｆ  第二読み取り搬送部
Ｇ  排紙部
Ｈ  スタック部
１  原稿
２  原稿テーブル
３  可動原稿テーブル
４  セットフィラー
５  セットセンサ
６  ホームポジションセンサ
７  ピックアップローラ
８  テーブル上昇検知センサ
９  給紙ベルト
１０  リバースローラ
１１  突き当てセンサ
１２  プルアウトローラ
１３  原稿幅センサ
１４  中間ローラ
１５  読取入口センサ
１６  読取入口ローラ
１７  レジストセンサ
１８  搬送入口ガイド板
１９  読取ローラ
２０  読取位置
２１  スリットガラス
２２  すくい上げガイド部材
２２ａ  すくい上げ面
２２ｂ  ふくらみ部
２３  読取出口ローラ
２４  排紙センサ
２５  第２読取部
２６  第２読取ローラ
２７  ＣＩＳ出口ローラ
２８  排紙ローラ
２９  排紙トレイ
３０、３１  原稿長さ検知センサ
３２  読取ガイド板
１００  コントローラ部
１０１  ピックアップモータ
１０２  給紙モータ
１０３  読取モータ
１０４  排紙モータ
１０５  底板上昇モータ
１０７  Ｉ／Ｆ
１０８  本体操作部
１１１  本体制御部
【図１】
0003813488.tif 000002
【図２】
0003813488.tif 000003
【図３】
0003813488.tif 000004
【図４】
0003813488.tif 000005
【図５】
0003813488.tif 000006
【図６】
0003813488.tif 000007
【図７】
0003813488.tif 000008
【図８】
0003813488.tif 000009